(57)【特許請求の範囲】
【請求項１】
金属製のベースプレート上にハンドルサポートフレームを設け、ハンドルサポートフレームにハンドル及びステープルマガジンを取付けた卓上型のステープラであって、ベースプレートの上面をプラスチック製のベースカバーで覆い、ベースカバーに形成した孔を通じてハンドルサポートフレームを上方へ突出させたステープラにおいて、前記孔の左右両辺からそれぞれベースカバーの後端へかけてミシン目や薄肉部などの破断誘導部を形成してベースカバーの後部中央部分を折り取り可能とし、後部中央部分を除去することにより前記孔の後部が開放されてベースプレートからベースカバーを取り外しできるように構成したことを特徴とするステープラ。
【請求項２】
上記ベースカバーに形成された破断誘導部は、上記ベースカバーに形成した孔の左右両辺の後縁の左右両辺の各々から前記ベースカバーの後端まで夫々延びる一対のスリットと、前記一対のスリットの間に位置する前記ベースカバーの前記後部中央部分と、前記ベースカバーの本体部と前記後部中央部分とを結合する複数のブリッジ部とを備え、前記ベースカバーの後端の側のブリッジ部が前記孔の左右両辺の後縁の側のブリッジ部よりも、破断容易に設けられていることを特徴とする請求項１記載のステープラ。
【請求項３】
上記ベースカバーは、該ベースカバー本体の先端部位を上記ベースプレートから持ち上げて、該ベースカバーを前方へずらすことにより分離できるように構成されていることを特徴とする請求項１記載のステープラ。
【発明の詳細な説明】
【０００１】
【発明の属する技術分野】
この発明は、ステープラに関するものであり、特に、廃棄時における素材の分別を容易化したステープラに関するものである。
【０００２】
【従来の技術及び発明が解決しようとする課題】
手動式の卓上型ステープラは、ベースプレート上にステープルマガジンとレバー型のハンドルとが上下回動自在に取付けられており、ベースプレートとステープルマガジンとの間に紙を挿入しハンドルを手で押し下げて綴じるように構成されている。ベースプレートやハンドルやステープルマガジン及びクリンチャ等の機構部品は金属のプレス加工品であるが、ベースプレートをプラスチック製のベースカバーで覆ったデザイン仕様のものが多い。ベースカバーは、ベースプレート上に設けられたハンドルサポートフレームを除く部分を覆っており、ベースカバーの内面部に設けた突起や爪をベースプレートに係合させて固定されている。
【０００３】
近年、省資源及び環境保護のために、廃棄物を素材ごとに分別して回収し、金属やプラスチックや紙等を再生するリサイクルが実施されている。しかし、従来の卓上型ステープラにおいてはベースプレートにハンドルサポートフレームがかしめ等の手段によって固着されており、ベースプレートからベースカバーを取外そうとしてもハンドルサポートフレームが障害となってベースカバーを取外すことができない。したがって、ベースプレートとベースカバーを分離するにはベースカバーを何らかの手段によって破壊しなければならず、分別廃棄することが困難であるのが現状である。そこで、卓上型ステープラのプラスチック製ベースカバーの取外しを容易化するために解決すべき技術的課題が生じてくるのであり、本発明は上記課題を解決することを目的とする。
【０００４】
【課題を解決するための手段】
この発明は、上記目的を達成するために提案するものであり、請求項１記載の発明は、金属製のベースプレート上にハンドルサポートフレームを設け、ハンドルサポートフレームにハンドル及びステープルマガジンを取付けた卓上型のステープラであって、ベースプレートの上面をプラスチック製のベースカバーで覆い、ベースカバーに形成した孔を通じてハンドルサポートフレームを上方へ突出させたステープラにおいて、前記孔の左右両辺からそれぞれベースカバーの後端へかけてミシン目や薄肉部などの破断誘導部を形成してベースカバーの後部中央部分を折り取り可能とし、後部中央部分を除去することにより前記孔の後部が開放されてベースプレートからベースカバーを取り外しできるように構成したステープラ、
及び、請求項２記載の発明は、上記ベースカバーに形成された破断誘導部は、上記ベースカバーに形成した孔の左右両辺の後縁の左右両辺の各々から前記ベースカバーの後端まで夫々延びる一対のスリットと、前記一対のスリットの間に位置する前記ベースカバーの前記後部中央部分と、前記ベースカバーの本体部と前記後部中央部分とを結合する複数のブリッジ部とを備え、前記ベースカバーの後端の側のブリッジ部が前記孔の左右両辺の後縁の側のブリッジ部よりも、破断容易に設けられている請求項１記載のステープラを提供するものである。
又、請求項３記載の発明は上記ベースカバーは、該ベースカバー本体の先端部位を上記ベースプレートから持ち上げて、該ベースカバーを前方へずらすことにより分離できるように構成されている請求項１記載のステープラを提供するものである。
【０００５】
【発明の実施の形態】
以下、この発明の実施の一形態を図に従って詳述する。図１は卓上型のステープラ1を示し、ベースプレート2の上にプラスチック製のベースカバー3が取付けられている。ベースプレート2の上面後部（図において左）にはハンドルサポートフレーム4が取付けられていて、ハンドルサポートフレーム4はベースカバー3に形成した孔5を通じて上方へ突出している。ステープルマガジン6はハンドルサポートフレーム4の前後中間部に設けた軸7に取付けられており、ハンドル8はハンドルサポートフレーム4の前端上部に設けた軸9に取付けられている。10は、紙の位置決めを行う前後スライド自在な位置決めガイドである。
【０００６】
図2はベースカバー3とハンドルサポートフレーム4を取付けたベースプレート2を示し、ベースカバー3にはハンドルサポートフレーム4を露出させるための孔5とその前方に位置決めガイド取付け用溝穴11が形成されており、ベースプレート2にも同一寸法のガイド取付け用溝穴が形成されている。ABS樹脂などによって射出成形されたベースカバー3は、後端中央部を折り取ることができるように、図3に示すように孔5の後縁の左右両辺からベースカバー3の後端まで延びるスリット12が形成されていて、二本のスリット12間の後端中央部（以下、ブレーカブルチップ13という）とその左右の本体部分はそれぞれ上下２ヶ所の細いブリッジ部14, 15にて結合されている。
【０００７】
ステープラ1を廃棄する際は、図4に示すようにベースカバー3のブレーカブルチップ13とベースプレート2の間隙にドライバD等の工具を下方から差込んで工具をこじると下の二つのブリッジ部15が破断し、更に手でブレーカブルチップ13をつまんで数回抉れば上２ヶ所のブリッジ部14が破断してベースカバー3本体から分離し、孔5の後部が開放される。そして、図5に示すように、ベースカバー3本体の先端部位をベースプレート2から持ち上げて、図6に示すようにベースカバー3を前方へずらせば、プラスチック材であるベースカバー3と金属材であるベースプレート2が分離される。
【０００８】
尚、上下のブリッジ部14, 15の太さを同一としておくと、ブレーカブルチップ13をドライバ等の工具によってこじったときに上下４ヶ所のブリッジ部14, 15が同時に破断して、ブレーカブルチップ13が作業者に向かって飛び散る虞があるが、上２ヶ所のブリッジ部14を下２ヶ所のブリッジ部15よりも太く形成しておくことにより、前述したように先ず下２ヶ所のブリッジ部15が破断したときに上２ヶ所のブリッジ部14は破れず、この状態で上２ヶ所のブリッジ部14を手でねじ切ることによって安全にブレーカブルチップ13を除去することができる。
【０００９】
尚、この発明は上記の実施形態に限定するものではなく、この発明の技術的範囲内において種々の改変が可能であり、この発明がそれらの改変されたものに及ぶことは当然である。
【００１０】
【発明の効果】
以上説明したように、本発明のステープラは、極めて簡単に卓上型のステープラ本体の金属材であるベースプレートからプラスチック製ベースカバーを分離して廃棄することができ、環境保護と資源の有効利用に寄与する発明である。
また、請求項２記載の発明は、上記破断誘導部は、上記ベースカバーに形成した孔の左右両辺の後縁の左右両辺の各々から前記ベースカバーの後端まで夫々延びる一対のスリットと、前記一対のスリットの間に位置する前記ベースカバーの前記後部中央部分と、前記ベースカバーの本体部と前記後部中央部分とを結合する複数のブリッジ部とを備え、前記ベースカバーの後端の側のブリッジ部が前記孔の左右両辺の後縁の側のブリッジ部よりも、破断容易に設けられているので、先ず、前記ベースカバーの後端の側のブリッジ部が破断したときにも前記孔の左右両辺の後縁の側のブリッジ部は破れず、この状態で前記孔の左右両辺の後縁の側のブリッジ部を破断することによって安全に前記後部中央部分を除去することができ、斯くして、前記複数のブリッジ部を、順次、破断することがてかるので、前記後部中央部が飛び散る虞を回避できる。
また、請求項３記載の発明は、請求項１記載の発明のステープラにおけるプラスチック製のベースカバーは、該ベースカバー本体の先端部位を金属製のベースプレートから持ち上げて、該ベースカバーを前方へずらすことにより該プラスチック製ベースカバーが金属製ベースプレートから容易に分離されることが可能となる。
【図面の簡単な説明】
【図１】ステープラの側面図。
【図２】本発明の実施の一形態を示し、ステープラのベース部分の斜視図。
【図３】プラスチック製ベースカバーの後部を示し、(a)は平面図、(b)は背面図である。
【図４】ベースカバー除去工程の解説図。
【図５】ベースカバー除去工程の解説図。
【図６】ベースカバー除去工程の解説図。
【符号の説明】
1      ステープラ
2      ベースプレート
3      ベースカバー
4      ハンドルサポートフレーム
5      孔
6      ステープルマガジン
8      ハンドル
12     スリット
13     ブレーカブルチップ
14     ブリッジ部（上）
15     ブリッジ部（下）
【図１】
0003840986.tif 000002
【図２】
0003840986.tif 000003
【図３】
0003840986.tif 000004
【図４】
0003840986.tif 000005
【図５】
0003840986.tif 000006
【図６】
0003840986.tif 000007